(57)【要約】      （修正有）【課題】鍵ユニットの共通化により部品点数を削減すると共に、鍵ユニットの位置決め精度を高めて鍵盤の外観を向上させる鍵ユニットの位置決め構造を提供する。【解決手段】複数の鍵ユニットＵＴの各々は、共通する位置決め部として、左右方向において異なる位置に設けられた複数のピン２５を有する。ベース部３０は、鍵ユニットＵＴを配設するための配設領域を左右方向に複数有する。各配設領域には、１つの横位置決め穴３１と２つの横逃げ穴３２が上下方向の穴として形成されている。配設領域ＲＡ、ＲＢ、ＲＣで、左右方向における横位置決め穴３１の位置が異なっている。横位置決め穴３１は、ピン２５に対して嵌合的な断面円形の穴であり、横逃げ穴３２は、ピン２５が遊嵌される程度の大きさを有する横長の穴である。１つのピン２５と横位置決め穴３１とが係合することで、左右方向における鍵ユニットＵＴの位置が規制される。【選択図】図１
2016153826.tif 000002
【特許請求の範囲】
【請求項１】
共通する位置決め部を有する複数の鍵ユニットを、ベース部に対して鍵の並び方向である左右方向に位置決めして配設する鍵ユニットの位置決め構造であって、
前記複数の鍵ユニットの各々は、前記位置決め部として、左右方向において異なる位置に設けられた複数の係合部を有し、
前記ベース部は、前記鍵ユニットを配設するための配設領域を左右方向に複数有し、
前記ベース部の前記配設領域の各々の、前記鍵ユニットの前記複数の係合部のうち１つの係合部に対応する部分には、当該１つの係合部と係合して左右方向における当該鍵ユニットの位置を規制する位置決め対応部が設けられると共に、前記１つの係合部以外の他の係合部に対応する部分は、左右方向において前記他の係合部に係合しないように構成され、
少なくとも２つの配設領域同士の間で、左右方向における配設領域内の前記位置決め対応部の位置が異なっていることを特徴とする鍵ユニットの位置決め構造。
【請求項２】
前記ベース部は奇数の配設領域を有し、左右方向における中央の配設領域には、前記複数の係合部のうち前記鍵ユニットにおける最も中央に近い係合部に対応する部分に前記位置決め対応部が設けられていることを特徴とする請求項１記載の鍵ユニットの位置決め構造。
【請求項３】
前記ベース部は偶数の配設領域を有し、左右方向における中央で隣接する２つの配設領域のそれぞれには、前記複数の係合部のうち前記鍵ユニットにおける最も中央に近い係合部に対応する部分に前記位置決め対応部が設けられていることを特徴とする請求項１記載の鍵ユニットの位置決め構造。
【請求項４】
前記ベース部は偶数の配設領域を有し、左右方向における中央で隣接する２つの配設領域のうち左側の配設領域には、前記複数の係合部のうち前記鍵ユニットにおける最も右側の係合部に対応する部分に前記位置決め対応部が設けられると共に、前記２つの配設領域のうち右側の配設領域には、前記複数の係合部のうち前記鍵ユニットにおける最も左側の係合部に対応する部分に前記位置決め対応部が設けられることを特徴とする請求項１記載の鍵ユニットの位置決め構造。
【請求項５】
前記複数の配設領域のうち最も左側の配設領域には、前記複数の係合部のうち前記鍵ユニットにおける最も左側の係合部に対応する部分に前記位置決め対応部が設けられると共に、前記複数の配設領域のうち最も右側の配設領域には、前記複数の係合部のうち前記鍵ユニットにおける最も右側の係合部に対応する部分に前記位置決め対応部が設けられることを特徴とする請求項１〜４のいずれか１項に記載の鍵ユニットの位置決め構造。
【発明の詳細な説明】
【技術分野】
【０００１】
本発明は、複数の鍵ユニットを楽器本体に配設する鍵ユニットの位置決め構造に関する。
【背景技術】
【０００２】
従来、安価な鍵盤楽器において広く見られるように、複数の鍵を例えば、１オクターブ分でユニット化した鍵ユニットを、楽器のベース部等に配設する鍵ユニットの位置決め構造が知られている。この種の構造を採用した鍵盤楽器として、下記特許文献１の鍵盤装置が知られている。この装置では、鍵ユニットの組み付け手法として、各鍵ユニットの左右方向の端部に、隣接する鍵ユニットと連結するための連結部を設け、複数の鍵ユニットを左右方向に複数連結していくことが示されている。
【０００３】
しかし、鍵ユニット自体や連結部には製造等による寸法誤差が存在する。従って、上記の構造では、多数の鍵ユニットを連結していくと、各々の誤差が累積され、鍵盤の全幅としての誤差が大きくなる。すると、一部の鍵ユニットにおいては、押鍵検知のためのスイッチと鍵との位置ずれが大きくなることがある。また、ケースと鍵盤との隙間が大きくなることもある。しかも、組み立ての順序が定まっているため、組み立て工程の自由度もない。
【０００４】
一方、鍵ユニットの各々をベース部に対して個々に位置決めするために、鍵ユニットの決まった位置に位置決め部を設ける構造も知られている。この構造では、ベース部に対する１つ１つの鍵ユニットの位置決めは比較的正確に行える。
【先行技術文献】
【特許文献】
【０００５】
【特許文献１】特開平１０−２４０２２９号公報
【発明の概要】
【発明が解決しようとする課題】
【０００６】
しかしながら、隣接する鍵ユニットの位置決め部同士の間隔には、１つの鍵ユニットの幅の分の寸法誤差が生じ得る。そのため、隣接する鍵ユニット間の隙間が、鍵ユニットの幅の誤差に依存し、隙間の大きさが場所によってばらつくおそれがある。隙間がばらつくと外観が低下する。また、特に鍵盤の中央付近で大きな隙間が生じると目立ちやすい。また、鍵盤の左右の端部においても、ケースとの間の隙間が大きいと、それが目立ちやすい。従って、鍵盤の外観を向上させる観点で改善の余地があった。
【０００７】
本発明は上記従来技術の問題を解決するためになされたものであり、その目的は、鍵ユニットの共通化により部品点数を削減すると共に、鍵ユニットの位置決め精度を高めて鍵盤の外観を向上させることができる鍵ユニットの位置決め構造を提供することにある。
【課題を解決するための手段】
【０００８】
上記目的を達成するために本発明の請求項１の鍵ユニットの位置決め構造は、共通する位置決め部を有する複数の鍵ユニットを、ベース部に対して鍵の並び方向である左右方向に位置決めして配設する鍵ユニットの位置決め構造であって、前記複数の鍵ユニット（ＵＴ）の各々は、前記位置決め部として、左右方向において異なる位置に設けられた複数の係合部（２５、２６、２７）を有し、前記ベース部（３０）は、前記鍵ユニットを配設するための配設領域（Ｒ）を左右方向に複数有し、前記ベース部の前記配設領域の各々の、前記鍵ユニットの前記複数の係合部のうち１つの係合部に対応する部分には、当該１つの係合部と係合して左右方向における当該鍵ユニットの位置を規制する位置決め対応部（３１、３３、３４）が設けられると共に、前記１つの係合部（２５ｘ）以外の他の係合部に対応する部分は、左右方向において前記他の係合部に係合しないように構成され、少なくとも２つの配設領域同士の間で、左右方向における配設領域内の前記位置決め対応部の位置が異なっていることを特徴とする。
【０００９】
なお、上記括弧内の符号は例示である。
【発明の効果】
【００１０】
本発明の請求項１によれば、鍵ユニットの共通化により部品点数を削減すると共に、鍵ユニットの位置決め精度を高めて鍵盤の外観を向上させることができる。
【００１１】
請求項２によれば、中央に配設される鍵ユニットを鍵盤の中央に正確に位置させることができる。請求項３によれば、中央付近に配設される２つの鍵ユニットを鍵盤の中央付近に位置させることができる。請求項４によれば、中央付近に配設される２つの鍵ユニット間の隙間の精度を高めることができる。請求項５によれば、鍵盤の左右の端位置と楽器本体との隙間の精度を高めることができる。
【図面の簡単な説明】
【００１２】
【図１】鍵ユニットの位置決め構造が適用される鍵盤楽器の平面図（図（ａ））、位置決め構造の要部を示す平面図（図（ｂ））、側面図（図（ｃ））、１つの鍵ユニットの平面図（図（ｄ））、奏者側から見た正面図（図（ｅ））、ベース部の平面図（図（ｆ））である。
【図２】変形例の鍵ユニットの平面図（（ａ）〜（ｅ））である。
【図３】変形例のベース部の平面図（図（ａ））、変形例の鍵ユニットの共通基端部とベース部との組み付け部分の要部を示す側面図（図（ｂ））、変形例のベース部における配設領域の平面図（図（ｃ））、正面図（図(ｄ)）である。
【発明を実施するための形態】
【００１３】
以下、本発明の実施の形態を図面を参照して説明する。
【００１４】
図１（ａ）は、本発明の一実施の形態に係る鍵ユニットの位置決め構造が適用される鍵盤楽器の平面図である。この鍵盤楽器１０は、楽器本体１１の左側板１２Ｌと右側板１２Ｒとの間に複数（例えば３）オクターブ分の鍵盤ＫＢを有する。以降、鍵盤ＫＢの鍵の並び方向を左右方向と称する。
【００１５】
図１（ｂ）、（ｃ）は、鍵ユニットの位置決め構造の要部を示す平面図、側面図である。楽器本体１１にはベース部３０が固定される。ベース部３０は、筐体（ケース）やフレームの一部、または基板であり、略水平な上面を有する。ベース部３０の上面に、複数の鍵ユニットＵＴ（ＵＴＡ、ＵＴＢ、ＵＴＣ）が左右方向に実装される。ベース部３０には、押鍵検知のためのスイッチを各鍵に対応して配設してもよい。
【００１６】
図１（ｄ）、（ｅ）は、１つの鍵ユニットＵＴの平面図、奏者側から見た正面図である。図１（ｆ）は、ベース部３０の平面図である。複数の鍵ユニットＵＴの構成は共通である。図１（ｄ）、（ｅ）に示すように、各々の鍵ユニットＵＴは、１オクターブ分の鍵域の白鍵２３Ｗと黒鍵２３Ｂとを含んで一体に構成される。白鍵２３Ｗの鍵本体は、ヒンジ２２Ｗで共通基端部２１に接続され、黒鍵２３Ｂの鍵本体は、ヒンジ２２Ｂで共通基端部２１に接続される。ヒンジ２２Ｗ、２２Ｂは上下方向に薄く、各鍵本体がヒンジ２２Ｗ、２２Ｂで上下方向に揺動自在とされる一方、左右方向への各鍵本体の変位はほぼ規制される。従って、鍵の前部の左右方向の変位を規制する鍵ガイドを有しない構成となっている。
【００１７】
この例では、７個の白鍵２３Ｗが一体となった白鍵ユニットと５個の黒鍵２３Ｂが一体となった黒鍵ユニットとをそれぞれの基端部同士で重ね合わせて共通基端部２１とされ、その結果、１オクターブ分の鍵域のユニットとなっている。なお、鍵ユニットＵＴは、一体化されていればよく、鍵ユニットＵＴを構成する部品構成や要素の数は問わない。例えば、白鍵ユニットを、白鍵２３Ｗが３つのユニットと４つのユニットとの２つに分割して構成し、両ユニットの基端部同士を重ね合わせてもよい。
【００１８】
共通基端部２１からは、左右方向の鍵ユニットＵＴの位置を規制するための位置決め部として、左右方向において異なる位置に複数のピン２５（係合部）が下方に向かって突設されている。図１の例では、ピン２５は、鍵ユニットＵＴの幅の中心位置と、左右の端部付近とに、全部で３個設けられる。各々の鍵ユニットＵＴにおける、ピン２５が設けられる位置や数についても共通である。ピン２５は、例えば、円柱型である。
【００１９】
図１（ｆ）に示すように、ベース部３０は、鍵ユニットＵＴが配設される配設領域Ｒ（ＲＡ、ＲＢ、ＲＣ）を鍵ユニットＵＴの数の分だけ有する。この例では、鍵盤ＫＢが３オクターブであるとしたので、配設領域Ｒも３つとする。
【００２０】
各配設領域Ｒには、１つの横位置決め穴３１と２つの横逃げ穴３２が、上下方向に貫通する穴として形成されている。左右方向の真ん中の配設領域ＲＢにおいては、配設領域ＲＢの幅の中心位置に横位置決め穴３１が形成され、左右の端部付近に横逃げ穴３２が形成される。すなわち、各配設領域Ｒにおいて、横逃げ穴３２、横位置決め穴３１は、鍵ユニットＵＴのピン２５の位置に対応する部分に形成されている。ただし、配設領域Ｒ内における横逃げ穴３２と横位置決め穴３１との相対的位置関係が、配設領域Ｒによって異なっている。配設領域Ｒ同士の視覚上の仕切は必要でないが、横逃げ穴３２及び横位置決め穴３１の配置で区別される。横逃げ穴３２、横位置決め穴３１の配置以外の構成は各配設領域Ｒ間で共通である。
【００２１】
具体的には、左側の配設領域ＲＡにおいては、配設領域ＲＡの左端部付近と左右方向中央位置とに横逃げ穴３２が形成され、右端部付近に横位置決め穴３１が形成される。右側の配設領域ＲＣにおいては、配設領域ＲＣの右端部付近側と左右方向中央位置とに横逃げ穴３２が形成され、左端部付近に横位置決め穴３１が形成される。このように、各配設領域Ｒ内の左右方向における横位置決め穴３１の位置が異なっている。
【００２２】
ここで、横位置決め穴３１は、ピン２５に対して嵌合的な、水平断面円形の穴である。一方、横逃げ穴３２は、ピン２５が遊嵌される程度の大きさを有する横長の穴であり、前後方向においてはピン２５と同じかまたはピン２５の直径よりも大きい。従って、ピン２５と横位置決め穴３１とが係合することで、左右方向における鍵ユニットＵＴの位置が規制されると共に、前後方向においても鍵ユニットＵＴの位置が規制される。横位置決め穴３１が、「位置決め対応部」として機能する。一方、横位置決め穴３１と係合しない他の２つのピン２５については、横逃げ穴３２に挿入・遊嵌されるが、少なくとも左右方向においてはピン２５と横逃げ穴３２とは接触しない。よって、左右方向における鍵ユニットＵＴの位置決めの基準は、位置決め穴３１の配置に依存する。
【００２３】
ところで、鍵ユニットＵＴの位置決め後において、共通基端部２１は、ベース部３０に対して押しつける機構等によって固定される。なお、鍵ユニットＵＴの前後方向の位置決め機構を別途有していてもよい。
【００２４】
中央の配設領域ＲＢに配設される鍵ユニットＵＴＢは、中央の横位置決め穴３１で位置決めされるため、この鍵ユニットＵＴＢの左右端部の最大の位置ずれ量は、鍵ユニットＵＴＢの幅の半分の寸法誤差の分だけで済む。従って、鍵ユニットＵＴＢを、鍵盤ＫＢの全幅の左右方向中央に正確に配設することができる。
【００２５】
左側の配設領域ＲＡに配設される鍵ユニットＵＴＡは、右側の横位置決め穴３１で位置決めされるため、この鍵ユニットＵＴＡの右端部の最大の位置ずれ量は、右側のピン２５から鍵ユニットＵＴＡの右端部までの短い距離に生じる寸法誤差の分だけで済む。従って、鍵ユニットＵＴＡと鍵ユニットＵＴＢとの間の隙間の精度を高くすることができる。右側の配設領域ＲＣに配設される鍵ユニットＵＴＣは、左側の横位置決め穴３１で位置決めされるため、この鍵ユニットＵＴＣの左端部の最大の位置ずれ量は、左側のピン２５から鍵ユニットＵＴＣの左端部までの短い距離に生じる寸法誤差の分だけで済む。従って、鍵ユニットＵＴＣと鍵ユニットＵＴＢとの間の隙間の精度を高くすることができる。
【００２６】
鍵盤ＫＢの中央の領域は目立ちやすいため、鍵ユニットＵＴＢを中央配置することと、それに隣接する鍵ユニットＵＴＡ、ＵＴＣとの隙間を適切な量にし、鍵盤楽器間のバラツキを小さくすることは、良好な外観を保つ上で重要である。上記のように、横位置決め穴３１を配設領域ＲＢでは中央に、配設領域ＲＡでは右側に、配設領域ＲＣでは左側に配置したことで、外観を向上させている。また、鍵ユニットＵＴの構成は共通であるので、部品点数が削減される。
【００２７】
図１の例では鍵ユニットＵＴが３つであったが、鍵ユニットＵＴが奇数配設される鍵盤楽器１０においては、左右方向中央の配設領域Ｒにおける中央に横位置決め穴３１を設けることで、中央に配設される鍵ユニットＵＴを鍵盤ＫＢの中央に正確に位置させることができる。また、中央の配設領域Ｒに隣接する配設領域Ｒにおいては、中央の配設領域Ｒの側に極力に近い位置に横位置決め穴３１を設けることで、中央に配設される鍵ユニットＵＴとそれに隣接する鍵ユニットＵＴとの隙間の精度を高めることができる。
【００２８】
本実施の形態によれば、鍵ユニットの共通化により部品点数を削減すると共に、鍵ユニットの位置決め精度を高めて鍵盤の外観を向上させることができる。
【００２９】
また、鍵ユニットＵＴを位置決めする横位置決め穴３１とピン２５ｘとの組は、配設領域Ｒごと、すなわちオクターブごとに独立しているので、各々のオクターブにおける横位置決め穴３１の形成位置によってオクターブ間の隙間を任意に調整することができる。
【００３０】
なお、外観上、一部の領域、例えば最も重要な領域においてのみ本発明を適用してもよい。すなわち、少なくとも２つの配設領域Ｒ同士の間で、配設領域Ｒ内の左右方向における位置決め対応部（横位置決め穴３１）の位置が異なるようにしてもよい。しかも位置決め対応部とならない部分には、横逃げ穴３２を設けたが、少なくとも左右方向においてピン２５と係合しない形状とすればよく、後にも述べるように、干渉を避けた形状の穴や凹部や溝等であってもよい。
【００３１】
図２、図３で、配設領域Ｒの数（鍵ユニットＵＴの数）、各配設領域Ｒ内における横逃げ穴３２と横位置決め穴３１との相対的位置関係を異ならせた各種の変形例を示す。
【００３２】
図２（ａ）〜（ｅ）は、変形例の鍵ユニットＵＴの平面図である。なお、図２において、ピン２５は上方からは見えないが、説明の便宜上、実線（白丸）や黒丸で示してある。ピン２５のうち、黒丸で示したものが横位置決め穴３１と係合するピン２５であり、これを特に「ピン２５ｘ」と記す。配設領域Ｒの図示は省略するが、配設領域Ｒにおいて、ピン２５ｘに対応する部分に横位置決め穴３１が形成され、ピン２５ｘではないピン２５に対応する部分に横逃げ穴３２が形成される。
【００３３】
まず、図２（ａ）では、鍵ユニットＵＴが偶数の例を示す。この例では、鍵盤ＫＢの中央Ｃを挟んで２つの鍵ユニットＵＴ１、ＵＴ２が配設される。横位置決め穴３１は最も中央Ｃ寄りの位置に設けられる。すなわち、中央Ｃの左側の配設領域Ｒでは、横位置決め穴３１は最も右側の位置に設けられ、中央Ｃの右側の配設領域Ｒでは、横位置決め穴３１は最も左側の位置に設けられる。これにより、中央Ｃを挟む２つの鍵ユニットＵＴ１、ＵＴ２間の互いに隣り合う端部同士の位置が正確となり、両者の隙間の楽器間のバラツキが小さくなる。この例は、鍵盤ＫＢの中央Ｃの見栄えを重視した位置決め構造である。
【００３４】
図２（ｂ）では、鍵ユニットＵＴの数を問わず、左右の両端に配置される鍵ユニットＵＴの位置決めに着目する。左端に配置される鍵ユニットＵＴ３に対応する配設領域Ｒでは、横位置決め穴３１は最も左側の位置に設けられ、右端に配置される鍵ユニットＵＴ４に対応する配設領域Ｒでは、横位置決め穴３１は最も右側の位置に設けられる。これにより、鍵ユニットＵＴ３の左端と鍵ユニットＵＴ４の右端の位置が正確となり、鍵ユニットＵＴ３の左端と左側板１２Ｌとの隙間、鍵ユニットＵＴ４の右端と右側板１２Ｒとの隙間の楽器間のバラツキがそれぞれ小さくなる。この例は、鍵盤ＫＢの左右端部の見栄えを重視した位置決め構造である。
【００３５】
図２（ｃ）では、鍵ユニットＵＴの数は４以上の偶数とする。この例では、鍵盤ＫＢの中央Ｃを挟んで２つの鍵ユニットＵＴ６、ＵＴ７が配設される。鍵ユニットＵＴ６、ＵＴ７に対応する配設領域Ｒのそれぞれでは、横位置決め穴３１は真ん中に設けられる。これにより、中央付近に配設される２つの鍵ユニットＵＴ６、ＵＴ７を鍵盤ＫＢの中央付近に位置させることができる。また、鍵ユニットＵＴ６の左側に隣接する鍵ユニットＵＴ５に対応する配設領域Ｒでは、横位置決め穴３１は最も右側の位置に設けられる。これにより、鍵ユニットＵＴ５の右端と鍵ユニットＵＴ６の左端の位置が正確となり、両者間の隙間の楽器間のバラツキが小さくなる。また、鍵ユニットＵＴ７の右側に隣接する鍵ユニットＵＴ８に対応する配設領域Ｒでは、横位置決め穴３１は最も左側の位置に設けられる。これにより、鍵ユニットＵＴ７の右端と鍵ユニットＵＴ８の左端の位置が正確となり、両者間の隙間の楽器間のバラツキが小さくなる。この例は、全体のバランスをとりつつ、鍵盤ＫＢの中央に比較的近い範囲の見栄えを重視した位置決め構造である。
【００３６】
なお、図２（ｃ）の例で、鍵盤ＫＢの中央Ｃの見栄えを特に重視したい場合は、鍵ユニットＵＴ６、ＵＴ７に対応する配設領域Ｒにおいても、横位置決め穴３１を中央Ｃ寄りの位置に設けてもよい。
【００３７】
横逃げ穴３２の数は、１つ以上であればよく、３以上であってもよい。図２（ｄ）、（ｅ）では、横位置決め穴３１が１つで、横逃げ穴３２が３つ以上である例を示す。
【００３８】
図２（ｄ）では、鍵ユニットＵＴの数は４以上の偶数とする。この例では、鍵盤ＫＢの中央Ｃを挟んで２つの鍵ユニットＵＴ１０、ＵＴ１１に対応する配設領域Ｒのそれぞれでは、４箇所（横位置決め穴３１が１つと横逃げ穴３２が３つ）のうち、横位置決め穴３１は最も中央Ｃ寄りの位置に設けられる。これにより、中央Ｃを挟む２つの鍵ユニットＵＴ１０、ＵＴ１１間の互いに隣り合う端部同士の位置が正確となる。また、鍵ユニットＵＴ１０の左側に隣接する鍵ユニットＵＴ９に対応する配設領域Ｒでは、横位置決め穴３１は、４箇所のうち中央Ｃ寄り（最も右側）から２番目の位置に設けられる。鍵ユニットＵＴ１１の右側に隣接する鍵ユニットＵＴ１２に対応する配設領域Ｒでは、横位置決め穴３１は、４箇所のうち中央Ｃ寄り（最も左側）から２番目の位置に設けられる。
【００３９】
なお、図２（ｄ）の例で、鍵ユニットＵＴの数が６である場合を考えた場合は、次のようにすればよい。鍵ユニットＵＴ９の左側に隣接する鍵ユニットＵＴに対応する配設領域Ｒでは、横位置決め穴３１は、４箇所のうち右から３番目の位置に設けられる。鍵ユニットＵＴ１２の右側に隣接する鍵ユニットＵＴに対応する配設領域Ｒでは、横位置決め穴３１は、４箇所のうち左から３番目の位置に設けられる。
【００４０】
このように、中央Ｃから遠い配設領域Ｒほど、横位置決め穴３１の位置として中央Ｃから遠い位置を採用することで、鍵盤ＫＢの中央の見栄えを重視しつつも、鍵盤ＫＢの全体のバランスをとりつつ各鍵ユニットＵＴの位置精度を高めることができる。
【００４１】
一方、図２（ｄ）の例で、鍵盤ＫＢの中央に近い範囲の見栄えを重視したい場合は、鍵ユニットＵＴ９、ＵＴ１２に対応する配設領域Ｒにおいても、横位置決め穴３１を中央Ｃ寄りの位置に設けてもよい。
【００４２】
図２（ｅ）の例では、鍵ユニットＵＴの数は５以上の奇数とする。この例では、中央Ｃに重なる鍵ユニットＵＴ１５に対応する、真ん中の配設領域Ｒでは、横位置決め穴３１は真ん中に設けられる。鍵ユニットＵＴ１５以外の鍵ユニットＵＴ１３、ＵＴ１４、ＵＴ１６、ＵＴ１７に対応する配設領域Ｒのそれぞれでは、５箇所（横位置決め穴３１が１つと横逃げ穴３２が４つ）のうち、横位置決め穴３１は最も中央Ｃ寄りの位置に設けられる。これにより、鍵盤ＫＢの中央の見栄えを重視しつつも、全体のバランスをとりつつ、鍵盤ＫＢの中央に比較的近い範囲の見栄えを向上させることができる。
【００４３】
このように、図２（ｃ）、（ｄ）、（ｅ）の例では、中央Ｃを挟む２つの配設領域Ｒや、中央Ｃに重なる配設領域Ｒでは、鍵盤ＫＢの中央Ｃまたはその付近を比較的重視した位置決め構造をとっている。それと共に、これら以外の（中央付近にない）配設領域Ｒでは、横位置決め穴３１は、配設領域Ｒの幅方向における中央よりも、中央Ｃ寄りの位置に設けられる。これにより、隙間のバラツキが生じるとしてもそれは鍵盤ＫＢの端部に近いほど大きくなるものであり、中央付近ではバラツキを小さくできる。従って、鍵盤ＫＢの中央の見栄えを重視しつつも、各鍵ユニットＵＴの位置精度を高めることができる。
【００４４】
なお、図２（ｄ）の例でも、鍵盤ＫＢの全体のバランスを重視する場合は、中央Ｃから遠い配設領域Ｒほど、横位置決め穴３１の位置として中央Ｃから遠い位置を採用してもよい。
【００４５】
図３（ａ）〜(ｄ)のいずれか構成を、図１、図２（ａ）〜（ｅ）のいずれかの構成と組み合わせてもよい。図３（ａ）は、変形例のベース部３０の平面図である。図１、図２では、横位置決め穴３１は水平断面円形であったが、図３（ａ）の例では、前後方向に長い長穴とする。横位置決め穴３１の左右方向の幅はピン２５の直径に対して嵌合的なサイズである。一方、横逃げ穴３２については、横長であるが、前後方向の幅はピン２５の直径に対して嵌合的なサイズである。従って、ピン２５ｘと横位置決め穴３１とが係合することで、左右方向における鍵ユニットＵＴの位置が規制される。また、ピン２５と横逃げ穴３２とが係合することで、前後方向における鍵ユニットＵＴの位置が規制される。このように、左右方向の位置決め機能と前後方向の位置決め機能とを、横位置決め穴３１と横逃げ穴３２とで分担する構成となっている。
【００４６】
図３（ｂ）は、変形例の鍵ユニットＵＴの共通基端部２１とベース部３０との組み付け部分の要部を示す側面図である。図１、図２の例では、ピン２５を共通基端部２１に設け、横位置決め穴３１及び横逃げ穴３２をベース部３０に設けたが、図３（ｂ）の例では、凹凸関係を逆にする。共通基端部２１には、同じ形状の穴２６を複数（例えば、３つ）、左右方向の異なる位置に設ける。一方、穴２６に対して嵌合的な形状のピン３３を１つだけベース部３０の配設領域Ｒに設ける。穴２６が、各鍵ユニットＵＴに共通する位置決め部（複数の係合部）に相当し、ピン３３が位置決め対応部に相当する。ピン３３と、ピン３３に係合する１つの穴２６とによって、左右方向及び前後方向における鍵ユニットＵＴの位置が規制される。配設領域Ｒによって、ピン３３を設ける位置が異なっている。
【００４７】
図３（ｃ）、(ｄ)は、変形例のベース部３０における配設領域Ｒの平面図、正面図である。各鍵ユニットＵＴに共通する位置決め部（複数の係合部）とベース部３０の配設領域Ｒに設けられる位置決め対応部の形状は、これまで例示したものに限定されない。例えば、図１、図２の例に対比して説明すると、図３（ｃ）、(ｄ)に示すように、共通基端部２１に、ピン２５に代えてリブ２７を形成してもよい。その場合は、配設領域Ｒには、横位置決め穴３１及び横逃げ穴３２にそれぞれ代えて、溝部３４、３５を形成する。溝部３４は溝部３５よりも左右方向の幅が狭く、リブ２７に対して嵌合的である。リブ２７は溝部３５に対して遊嵌される。図３（ｃ）、(ｄ)の例では、真ん中のリブ２７ｘと溝部３４との係合により、左右方向における鍵ユニットＵＴの位置が規制される。
【００４８】
なお、上記実施の形態及び各変形例において、ピン２５（係合部）及びそれに対応する横位置決め穴３１（位置決め対応部）は、奇数であったとしても、必ずしも鍵ユニットＵＴや配設領域Ｒの左右方向の中央に位置するものがなくてもよい。その場合に、鍵ユニットＵＴをなるべく中心基準で位置決めしたいときは、最も中央に近い係合部を実際に係合する係合部（ピン２５ｘ等）として用いるように、位置決め対応部を設ければよい。また、配設領域Ｒごとの位置決め対応部の位置の決め方は、これまで説明したのは例示であり、どこの箇所の精度を重視するのかによって、自由に選定すればよい。
【００４９】
また、係合部と位置決め対応部とは係合により左右方向における鍵ユニットＵＴの位置を規制できる関係にあればよく、形状や数は限定されない。
【００５０】
なお、鍵ユニットＵＴはユニット化されたものであればよく、白鍵２３Ｗと黒鍵２３Ｂの双方を有することは必須でない、例えば、白鍵２３Ｗのみのユニットの組み付けに関して本発明を適用してもよい。また、鍵ユニットＵＴの鍵域は１オクターブ分でなくてもよい。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態や変形例の一部を適宜組み合わせてもよい。
【符号の説明】
【００５２】
ＵＴ  鍵ユニット、  Ｒ  配設領域、  ２５  ピン（係合部、位置決め部）、  ２６  穴（係合部）、  ２７  リブ（係合部）、  ３０  ベース部、  ３１  横位置決め穴（位置決め対応部）、  ３２  横逃げ穴、  ３３  ピン（位置決め対応部）、  ３４  溝部（位置決め対応部）
【図１】
2016153826.tif 000003
【図２】
2016153826.tif 000004
【図３】
2016153826.tif 000005